(57)【要約】【課題】住宅ユニットが載置される種々の平面形状の布基礎を、遣方によることなく精度良く且つ効率良く形成してゆくことを可能にする住宅ユニット用基礎の施工方法を提供する。【解決手段】住宅ユニット１０が載置される布基礎１１を形成するための住宅ユニット用基礎の施工方法であって、板状部材を加工して、布基礎１１の施工位置に設置される内型枠１２の内側面１７に沿った形状の位置決め側縁部１４を有すると共に、定規片１５を備える基礎型枠用定規１６を形成し、この基礎型枠用定規１６を施工位置に設置して、内型枠１２の内側面１７を位置決め側縁部１４に合致させて内型枠１２を取付け固定し、定規片１４に設けられた外型枠用目印１８をガイドとして外型枠１３を取付け固定し、しかる後に、固定された内型枠１２と外型枠１３の間にコンクリートを打設して、布基礎１１を形成する。【選択図】        図３
2004257117.tif 000002
【特許請求の範囲】
【請求項１】
住宅ユニットが載置される布基礎を形成するための住宅ユニット用基礎の施工方法であって、
板状部材を加工して、前記布基礎の施工位置に設置される内型枠又は外型枠のいずれか一方の内側面に沿った形状の位置決め側縁部を有すると共に、該位置決め側縁部から突出する定規片を備える基礎型枠用定規を形成し、
該基礎型枠用定規を布基礎の施工位置に設置して、該基礎型枠用定規の下方から前記内型枠又は外型枠のいずれか一方を沿わせつつ、これの内側面を前記位置決め側縁部に合致させて、前記内型枠又は外型枠のいずれか一方を前記布基礎の施工位置に取付け固定し、
前記定規片に設けられた目印をガイドとして前記内型枠又は外型枠の他方を前記布基礎の施工位置に取付け固定し、
しかる後に、固定された前記内型枠と外型枠の間にコンクリートを打設して、布基礎を形成する住宅ユニット用基礎の施工方法。
【請求項２】
前記位置決め側縁部から突出する定規片は、前記布基礎に前記住宅ユニットを固定するアンカーボルトの取付け箇所に配設されると共に、該定規片には、アンカーボルトの位置決め挿通孔が形成されており、該位置決め挿通孔を介して前記アンカーボルトを位置決め固定して、前記内型枠と外型枠の間にコンクリートを打設する請求項１記載の住宅ユニット用基礎の施工方法。
【請求項３】
前記布基礎は、複数の折れ曲がり部を有する多角基礎である請求項１又は２に記載の住宅ユニット用基礎の施工方法。
【請求項４】
前記住宅ユニットの製造時に、前記基礎型枠用定規と同じ定規を前記住宅ユニットの下端載置部をあてて、該下端載置部の前記布基礎への取付け精度を確認する請求項１〜３のいずれかに記載の住宅ユニット用基礎の施工方法。
【請求項５】
前記基礎型枠用定規は、数値制御加工機（ＮＣ加工機）を用いて前記板状部材を加工して得られる請求項１〜４のいずれかに記載の住宅ユニット用基礎の施工方法。
【請求項６】
請求項１〜５のいずれかに記載の住宅ユニット用基礎の施工方法に用いられる、板状部材を加工することにより得られる基礎型枠用定規であって、
布基礎の施工現場に位置される内型枠又は外型枠のいずれか一方の内側面に沿った形状を有する位置決め側縁部と、該位置決め側縁部から突出する定規片とを備えており、
該定規片には、前記内型枠又は外型枠の他方の取付け位置をガイドする目印が設けられ、且つアンカーボルトの位置決め挿通孔が形成されている基礎型枠用定規。
【請求項７】
前記定規片には、前記住宅ユニットの下端載置部の側縁部の位置を明示する目印が設けられている請求項６記載の基礎型枠用定規。
【発明の詳細な説明】
【０００１】
【発明の属する技術分野】
本発明は、住宅ユニット用基礎の施工方法及び基礎型枠用定規に関し、特に住宅ユニットが載置される布基礎を形成するための住宅ユニット用基礎の施工方法及び基礎型枠用定規に関する。
【０００２】
【従来の技術】
木造の住宅建築物を構築する場合、例えば住宅の壁部分が配置される部分の地盤面における所定の位置に、布基礎と呼ばれるコンクリート製の連続する基礎を設け、この布基礎の上に土台等を設置すると共に、これらに支持させることにより、住宅建築物の本体部分が安定した状態で構築されることになる。
【０００３】
布基礎は、一般に、ベース部と立上り部とからなる倒立Ｔ字状又はＬ字状の断面形状を有しており、ベース部は、べた基礎等と一体となって形成される場合もある。また立上り部は、ベース部から垂直に立設する部分であり、内型枠と外型枠とによって挟まれるこれらの間の空間に鉄筋等を配置した後、コンクリートを打設することによって形成される（例えば、特許文献１、特許文献２参照）。
【０００４】
また、布基礎は、例えば住宅の壁部分が配置される所定の位置に精度良く設ける必要があり、地盤面の根切り作業や、内型枠、外型枠の設置作業を行う際には、布基礎の通り線上に遣方を設置し、この遣方に表示された目印に従ってこれらの作業が行われる。すなわち、遣方は、地盤面に垂直に打ち込まれた水杭と、この水杭に対して水平に取り付けられる水貫とからなる簡易な測量用の仮設物であって、布基礎の位置や高さ、根切りの広さや幅等が表示されおり、内型枠や外型枠を設置する際には、遣方から水糸を張ったり墨出し線を引くことによって、通りを合わせるようにするものである。
【０００５】
【特許文献１】
特開平７−２４７６８４号公報
【特許文献２】
特開平７−２４７６８６号公報
【０００６】
【発明が解決しようとする課題】
しかしながら、遣方を用いた従来の施工方法によれば、直線状に延設したり、或いは直角な折曲り部分のみを有する単純な平面形状の一般的な布基礎の場合には、多くの手間を要することなく、且つ精度良く内型枠や外型枠を所望の位置に設置してゆくことも可能であるが、例えば直角でない折曲り部分を複数有する多角基礎等の、多方向の面を備える複雑で特異な平面形状を有する布基礎を形成する場合には（図２参照）、多数の通り線上に各々遣方を設置する作業に多くの手間がかかると共に、遣方のみでは、複雑な形状に沿って立上り部を形成するための内型枠や外型枠を精度良く設置してゆくことが困難である。
【０００７】
特に、予め工場等において形成した複数の住宅ユニットを、建築施工現場に搬入して組み立てることにより構築されるユニット住宅においては、下階部分の住宅ユニットは、布基礎の上面に直接据付けて設置される場合があるため、住宅ユニットの下端載置部の形状に合致する平面形状となるように、精度良く布基礎の立上り部を形成しておく必要がある。
【０００８】
また、ユニット住宅の場合、各住宅ユニットを工場等において形成することから、デザイン性に富んだ種々の形状の住宅ユニットを製作することも可能であり（図１参照）、このような多様な形状の住宅ユニットを安定して載置することができるように、これらの形状に対応させて種々の平面形状の布基礎を効率良く形成できるようにする必要がある。
【０００９】
本発明は、このような従来の課題に着目してなされたものであり、住宅ユニットが載置される種々の平面形状の布基礎を、遣方によることなく精度良く且つ効率良く形成してゆくことを可能にする住宅ユニット用基礎の施工方法及び基礎型枠用定規を提供することを目的とする。
【００１０】
【課題を解決するための手段】
本発明は、住宅ユニットが載置される布基礎を形成するための住宅ユニット用基礎の施工方法であって、板状部材を加工して、前記布基礎の施工位置に設置される内型枠又は外型枠のいずれか一方の内側面に沿った形状の位置決め側縁部を有すると共に、該位置決め側縁部から突出する定規片を備える基礎型枠用定規を形成し、該基礎型枠用定規を布基礎の施工位置に設置して、該基礎型枠用定規の下方から前記内型枠又は外型枠のいずれか一方を沿わせつつ、これの内側面を前記位置決め側縁部に合致させて、前記内型枠又は外型枠のいずれか一方を前記布基礎の施工位置に取付け固定し、前記定規片に設けられた目印をガイドとして前記内型枠又は外型枠の他方を前記布基礎の施工位置に取付け固定し、しかる後に、固定された前記内型枠と外型枠の間にコンクリートを打設して、布基礎を形成する住宅ユニット用基礎の施工方法を提供することにより、上記目的を達成したものである（請求項１記載の発明）。
【００１１】
また、本発明の住宅ユニット用基礎の施工方法は、前記位置決め側縁部から突出する定規片が、前記布基礎に前記住宅ユニットを固定するアンカーボルトの取付け箇所に配設されると共に、該定規片には、アンカーボルトの位置決め挿通孔が形成されており、該位置決め挿通孔を介して前記アンカーボルトを位置決め固定して、前記内型枠と外型枠の間にコンクリートを打設するようにすることが好ましい（請求項２記載の発明）。
【００１２】
さらに、本発明の住宅ユニット用基礎の施工方法は、前記布基礎が、複数の折れ曲がり部を有する多角基礎であることが好ましい（請求項３記載の発明）。
【００１３】
さらにまた、本発明の住宅ユニット用基礎の施工方法は、前記住宅ユニットの製造時に、前記基礎型枠用定規と同じ定規を前記住宅ユニットの下端載置部にあてて、該下端載置部の前記布基礎への取付け精度を確認するようにすることが好ましい（請求項４記載の発明）。
【００１４】
また、本発明の住宅ユニット用基礎の施工方法は、前記基礎型枠用定規を、数値制御加工機（ＮＣ加工機）を用いて前記板状部材を加工して得るようにすることが好ましい（請求項５記載の発明）。
【００１５】
一方、本発明は、上記いずれかの住宅ユニット用基礎の施工方法に用いられる、板状部材を加工することにより得られる基礎型枠用定規であって、布基礎の施工位置に設置される内型枠又は外型枠のいずれか一方の内側面に沿った形状を有する位置決め側縁部と、該位置決め側縁部から突出する定規片とを備えており、該定規片には、前記内型枠又は外型枠の他方の取付け位置をガイドする目印が設けられ、且つアンカーボルトの位置決め挿通孔が形成されている基礎型枠用定規を提供することにより、上記目的を達成したものである（請求項６記載の発明）。
【００１６】
また、本発明の基礎型枠用定規は、前記定規片には、前記住宅ユニットの下端載置部の側縁部の位置を明示する目印が設けられていることが好ましい（請求項７記載の発明）。
【００１７】
【発明の実施の形態】
本発明の好ましい実施形態を添付図面を参照しつつ詳細に説明する。本実施形態によれば、予め工場等において形成された複数の住宅ユニットを、建築施工現場に搬入して組み立てることにより構築されるユニット住宅において、例えば図１に示す出部屋部分を構成する出部屋ユニット１０を載置して、当該出部屋ユニット１０を地盤面から安定した状態で支持させるための布基礎である多角基礎１１を、精度良く且つ効率良く形成してゆくための施工方法として採用されたものである。
【００１８】
すなわち、出部屋ユニット１０は、ユニット住宅を構成する住宅ユニットの一部として予め工場等において製作されることにより、各辺の中心角が３０度の正１２角形を略２等分割した平面形状を有するデザイン性に富んだ特異な形状を備えるものであり、この出部屋ユニット１０が載置される住宅ユニット用の基礎として、図２に示すように、各辺の中心角が３０度の正１２角形を略２等分割した平面形状に設けられる多角基礎１１が、本実施形態の施工方法によって形成されることになる。
【００１９】
そして、本実施形態の施工方法は、出部屋ユニット１０が載置される多角基礎１１を形成するための住宅ユニット用基礎の施工方法であって、最初に、好ましくはＮＣ加工機を用いて板状部材を加工して、図３及び図４に示すように、多角基礎１１の施工位置に設置される内型枠１２又は外型枠１３のいずれか一方である、内型枠１２の内側面（コンクリートが打設される側の面）１７に沿った形状の位置決め側縁部１４を有すると共に、位置決め側縁部１４から突出する定規片１５を備える基礎型枠用定規１６を形成する。
【００２０】
次に、形成した基礎型枠用定規１６を多角基礎１１の施工位置に設置して、この基礎型枠用定規１６の下方から内型枠１２を沿わせつつ、これの内側面１７を位置決め側縁部１４に合致させて、内型枠１２を多角基礎１１の施工位置に取付け固定し、定規片１５に設けられた外型枠用目印１８をガイドとして、内型枠１２又は外型枠１３の他方である外型枠１３を多角基礎１１の施工位置に取付け固定する。しかる後に、固定された内型枠１２と外型枠１３の間の空間部１９にコンクリートを打設して、多角基礎１１を形成する（図５参照）。
【００２１】
また、本実施形態によれば、基礎型枠用定規１６の位置決め側縁部１４から突出する複数の定規片１５は、多角基礎１１に出部屋ユニット１０を固定するためのアンカーボルト２０（図５参照）の取付け箇所に対応させて設けられていると共に、これらの定規片１５には、アンカーボルト２０の位置決め挿通孔２１が各々形成されており、位置決め挿通孔２１を介してアンカーボルト２０を位置決め固定して、内型枠１２と外型枠１３の間の空間部１９にコンクリートを打設するようになっている。
【００２２】
本実施形態によれば、基礎型枠用定規１６は、好ましくはＮＣ加工機を用いて板状部材を加工して、例えば図４に示すような、多角基礎１１の平面形状に対応する所望の形状に容易且つ高精度に形成されることになる。すなわち、ＮＣ加工機は、ＣＡＤ・ＣＡＭシステム等と接続し、コンピュータを介してルータ等を有する工作機械を制御する公知の加工機であって、例えば設計図面やＣＡＤ・ＣＡＭシステムから読み取ったユニット住宅のデータに基づいて、基準となる座標軸における多角基礎１１やアンカーボルト２０等に関する各主要点の座標等を求め、これらの座標等に従って、基礎型枠用定規１６を図４に示す所望の形状に精度良く形成するものである。
【００２３】
また、本実施形態によれば、基礎型枠用定規１６を形成するための板状部材として、例えば１２０ｃｍ×２４０ｃｍサイズの規格品の合板が用いられ、一枚の合板のみからは、縦２００ｃｍ、横４００ｃｍ程度の大きさの領域に設置される多角基礎１１に対応する大きさの形状に基礎型枠用定規１６を形成することができないことから、当該基礎型枠用定規１６を３分割した３枚の分割定規１６ａ，１６ｂ，１６ｃを各々形成し、内型枠１２や外型枠１３の設置時にこれらを接合一体化して、基礎型枠用定規１６として用いるようになっている。
【００２４】
すなわち、中央に配置される第１分割定規１６ａは、略長方形の枠状に形成されると共に、第１分割定規１６ａを挟んだ両側に対称に配置される第２分割定規１６ｂ及び第３分割定規１６ｃは、外周縁部が折れ曲がった略扇形の枠状に形成されており、これらが接合一体化されることにより、基礎型枠用定規１６は、正１２角形を略２等分割した平面形状を有する多角基礎１１の内側面に沿った形状を、連続配置される位置決め側縁部１４によってその外周縁部に備えることになる。
【００２５】
また、本実施形態によれば、各分割定規１６ａ，１６ｂ，１６ｃは、内側がくり抜かれた枠状部材として形成されることにより、軽量化が図られると共に、作業員が当該くり抜き部に立入ることができるようにして、組立時や設置時等における作業のし易さや取り扱い易さが図られている。また各分割定規１６ａ，１６ｂ，１６ｃの接合枠２１ａ，２１ｂ，２１ｃには、これらを並べて配置した際に互いに合致する位置に、一対のＴ字形状の切り込みが接合係止溝２２として各々設けられている。各接合枠２１ａ，２１ｂ，２１ｃを並べて密接配置することにより連続することとなった互いに対向する接合係止溝２２に跨るようにして、Ｉ字形状の接合くさび２３を各々填込むようにして係合係止することにより、第１分割定規１６ａ、第２分割定規１６ｂ、及び第３分割定規１６ｃをスムーズに接合一体化して、基礎型枠用定規１６を容易に形成することができるようになっている。
【００２６】
そして、本実施形態によれば、上述のようにして形成された基礎型枠用定規１６は、ユニット住宅の建築施工現場に搬入され、多角基礎１１の施工位置において、図５に示すように、例えば立上り部２４の施工に先立って多角基礎１１のベース部２５と共にこれの内側にコンクリートによって形成されたベタ基礎２６に支持部材２７を介して支持させて、形成すべき多角基礎１１の内側面に位置決め側縁部１４を配設した所定の位置に、容易且つ精度良く設置されることになる。
【００２７】
次に、設置された基礎型枠用定規１６の下方から内型枠１２を沿わせるようにつつ、内型枠１２の内側面１７を基礎型枠用定規１６の位置決め側縁部１４に合致させた状態で、内型枠１２を多角基礎１１の施工位置に取付け固定する。なお、本実施形態によれば、内型枠１２を取付け固定する際に、例えば内型枠１２の上端に配置される上方帯状枠板材２８に設けた型枠側ピン孔に向けて、これと合致する位置に配設して基礎型枠用定規１６に設けた定規側ピン孔２９（図３、図４参照）を介して、固定ピンを打ち込むことにより、基礎型枠用定規１６に対して内型枠１２をさらに精度良く位置決めすることが可能になる。
【００２８】
また、基礎型枠用定規１６の定規片１５に多角基礎１１の外側面の位置を明示するように設けられた外型枠用目印１８をガイドとして、外型枠１３を、その内側面３０が形成すべき多角基礎１１の外側面に沿うように配置して、外型枠１２を多角基礎１１の施工位置に取付け固定する（図３参照）。なお、本実施形態によれば、定規片１５は、その先端縁部が設置される外型枠１３の上方帯状枠板材３１の外側縁部の位置と合致する長さで、基礎型枠用定規１６の位置決め側縁部１４から突出しており、定規片１５の先端縁部に上方帯状枠板材３１の外側縁部を合わせることによって、基礎型枠用定規１６に対して外型枠１３をさらに精度良く位置決めすることが可能になる。
【００２９】
さらに、本実施形態によれば、設置された基礎型枠用定規１６の定規片１５に形成された位置決め挿通孔２１にアンカーボルト２０を挿通して、当該アンカーボルト２０を所望の位置に精度良く位置決め固定し、しかる後に、内型枠１２と外型枠１３の間の空間部１９にコンクリートを打設することによって、多角基礎１１の立上り部２４を構築する。
【００３０】
ここで、本実施形態によれば、内型枠１２及び外型枠１３として、本願出願人の出願に係る特願２００２−２４８２８０号に記載された、多角基礎１１の多角平面形状を各角部を挟む両側の直線部分で分割して、分割により得られた平面くの字形状の各分割基礎部分１１ａ（図２参照）の内側面又は外側面に沿ったくの字形状の側端面を有していると共に、型枠の少なくとも上下の端部に配置される帯状枠板材２８，３１と、これらの帯状枠板材２８，３１を連結する縦桟と、帯状枠板材２８，３１のくの字形状の側端面に沿って取り付けられる型枠用面材３２（図５参照）とからなる型枠が用いられている。特願２００２−２４８２８０号に記載の型枠は、帯状枠板材２８，３１を例えばＮＣ加工機を用いて形成することにより、くの字形状に精度良く形成することができ、これによって多角基礎１１をさらに容易に形成することが可能になる。
【００３１】
なお、本実施形態によれば、基礎型枠用定規１６は、多角基礎１１の施工位置を根切りする際の定規として、或いは多角基礎１１のベース部２５をベタ基礎２６と共に形成する際の外型枠１３の一次設置用の定規としても用いることができ、このように地盤面の根切りから立上り部２４を構築するまでの作業を共通の基礎型枠用定規１６を用いて行うことにより、さらに効率良く且つ精度良く多角基礎１１を形成することが可能になる。
【００３２】
そして、本実施形態の住宅ユニット用基礎の施工方法によれば、住宅ユニットとして例えば出部屋ユニット１０が載置される、多角基礎１１等の種々の平面形状の布基礎を、遣方によることなく精度良く且つ効率良く形成してゆくことができる。すなわち、本実施形態によれば、ＮＣ加工機等を用いて板状部材を加工して、多角基礎１１の形状に沿った位置決め側縁部１４を有すると共に、定規片１５を備える基礎型枠用定規１６を精度良く形成することができ、これを多角基礎１１の施工位置に設置して、設置した基礎型枠用定規１６にガイドさせることにより内型枠１２及び外型枠１３を所定の位置に容易且つ精度良く取付け固定することができるので、このような高精度に形成された基礎型枠用定規１６を介することにより、遣方を設置することなく、多角基礎１１等の種々の平面形状の布基礎を、効率良く形成してゆくことが可能になる。
【００３３】
また、本実施形態の住宅ユニット用基礎の施工方法によれば、図６に示すように、出部屋ユニット１０の製造時に、上述の基礎型枠用定規１６と同じ定規１６を出部屋ユニット１０の下端載置部３３にあてることによって、当該下端載置部３３の多角基礎１１への取付け精度を容易に確認することができ、必要に応じて出部屋ユニット１０の製造時に修正を加えることにより、出部屋ユニット１０の多角基礎１１への据付け作業や固定作業を、迅速且つ正確に行うことが可能になる。
【００３４】
すなわち、本実施形態によれば、図４に示すように、基礎型枠用定規１６の位置決め側縁部１４から突出する定規片１５は、幅の広い部分と幅の狭い部分との２段形状となっており、この２段形状の段差部分が、出部屋ユニット１０の下端載置部３３の側縁部３４の位置を明示するユニット用目印３５となっている。したがって、例えば出部屋ユニット１０が製造される工場等において、支持台３６に支持させて、多角基礎１１の施工用に用いた定規、或いはこれと別途に形成した基礎型枠用定規１６と同じ定規を配置し、出部屋ユニット１０を吊り上げてこの基礎型枠用定規１６に近づけ、下端載置部３３をこの基礎型枠用定規１６にあてることにより、当該下端載置部３３の施工精度及び多角基礎１１への載置精度を、容易に確認することが可能になる。
【００３５】
また、基礎型枠用定規１６の位置決め挿通孔２１に下端載置部３３のボルト締着孔３７を合致させることにより、ボルト締着孔３７の施工精度を容易に確認することが可能になり、これによって施工現場におけるアンカーボルト２０の補修を要することなく、アンカーボルト２０の締着による出部屋ユニット１０の固定作業をスムーズに行うことが可能になる。
【００３６】
なお、本発明は上記実施形態に限定されることなく種々の変更が可能である。例えば、住宅ユニットが載置される布基礎は、正１２角形を略２等分割した平面形状を有する多角基礎である必要は必ずしもなく、その他の形状の多角基礎や、円弧状の基礎等、種々の形状の布基礎を施工する際に、本発明を採用することができる。また、直角な折曲り部分のみを有する一般的な布基礎にも採用することができる。さらに、基礎型枠用定規は、ＮＣ加工機を用いて形成される必要は必ずしもなく、内型枠及び外型枠は、特願２００２−２４８２８０号に記載の型枠である必要は必ずしもない。
【００３７】
【発明の効果】
本発明の住宅ユニット用基礎の施工方法及び基礎型枠用定規によれば、住宅ユニットが載置される種々の平面形状の布基礎を、遣方によることなく精度良く且つ効率良く形成してゆくことができる。
【図面の簡単な説明】
【図１】本発明の一実施形態に係る住宅ユニット用基礎の施工方法が採用される布基礎を説明する斜視図である。
【図２】本発明の一実施形態に係る住宅ユニット用基礎の施工方法が採用される布基礎を説明する略示平面図である。
【図３】基礎型枠用定規を用いて型枠を設置する状況を説明する平面図である。
【図４】基礎型枠用定規の構成を説明する分解平面図である。
【図５】基礎型枠用定規を介して設置した型枠により布基礎を形成する状況を説明する断面図である。
【図６】基礎型枠用定規を介して製造された住宅ユニットの取付け精度を確認する状況を説明する断面図である。
【符号の説明】
１０  出部屋ユニット（住宅ユニット）
１１  多角基礎（布基礎）
１２  内型枠
１３  外型枠
１４  位置決め側縁部
１５  定規片
１６  基礎型枠用定規
１７  内型枠の内側面
１８  外型枠用目印
１９  内型枠と外型枠の間の空間部
２０  アンカーボルト
２１  位置決め挿通孔
２４  多角基礎の立上り部
２５  多角基礎のベース部
３０  外型枠の内側面
３３  出部屋ユニットの下端載置部
３４  下端載置部の側縁部
３５  ユニット用目印
３７  ボルト締着孔
【図１】
2004257117.tif 000003
【図２】
2004257117.tif 000004
【図３】
2004257117.tif 000005
【図４】
2004257117.tif 000006
【図５】
2004257117.tif 000007
【図６】
2004257117.tif 000008